(57)【要約】      （修正有）【課題】医用画像の撮影待ち時間を精度よく予測する待ち時間予測装置、待ち時間予測装置の制御方法及び待ち時間予測プログラムを提供する。【解決手段】待ち時間予測装置１６は、放射線撮影装置のコンソール１５からログデータ２７を取得し、このログデータ２７に基づいて撮影技師の撮影手技毎の平均撮影時間を算出し、平均撮影時間格納部２０に格納する。待ち時間予測装置１６は、一定時間毎またはＲＩＳサーバ１３からの要求に応じて、平均撮影時間格納部２０から読み出した平均撮影時間に基づき、撮影オーダの放射線撮影が開始されるまでの待ち時間を予測する。予測した待ち時間は、待ち時間ディスプレイ１７及びＲＩＳサーバ１３に配信され、表示される。【選択図】図２
2015191556.tif 000002
【特許請求の範囲】
【請求項１】
医用画像撮影装置のコンソールから、前記医用画像撮影装置で患者の医用画像を撮影した撮影技師、前記撮影技師による前記コンソールに対する操作の内容及び時刻、及び前記医用画像の撮影で用いた撮影手技に関する情報を含むログデータを取得するログデータ取得部と、
前記ログデータに記録されている前記操作の内容及び時刻に基づいて、前記撮影技師が前記医用画像を前記撮影手技で撮影するのに要した撮影時間を算出し、前記撮影時間に基づいて、前記撮影技師の前記撮影手技の種類毎の平均撮影時間を算出する平均撮影時間算出部と、
前記平均撮影時間を格納する平均撮影時間格納部と、
撮影オーダ管理装置から、医用画像の撮影依頼情報である撮影オーダを取得する撮影オーダ取得部と、
前記撮影オーダで依頼された撮影を担当する担当撮影技師の前記平均撮影時間のうち、前記撮影オーダに含まれる手技情報で指定された撮影手技に対応する前記平均撮影時間に基づいて、前記撮影オーダで依頼された医用画像の撮影が開始されるまでに予測される待ち時間を算出する待ち時間算出部と、
前記待ち時間を、待ち時間表示装置に配信する配信部と、
を備える待ち時間予測装置。
【請求項２】
診療情報管理装置から、前記撮影オーダで撮影を依頼された前記患者の診療情報を取得する診療情報取得部と、
前記取得した診療情報に基づき、前記患者の医用画像の撮影が前記平均撮影時間で可能か否かを判断する判断部と、
前記判断部で前記患者の医用画像の撮影が前記平均撮影時間でできないと判断された場合には、前記待ち時間を長く補正する補正部と、
を備える請求項１に記載の待ち時間予測装置。
【請求項３】
前記診療情報は、前記患者が通常のポジショニングをとれる状態か否か、歩行が困難か否か、及び前記患者の年齢のうちの少なくとも１つを含み、
前記判断部は、前記患者が通常のポジショニングをとれない場合、歩行が困難な場合、及び前記患者が予め設定した基準年齢以上である場合のうち、少なくとも１つに当てはまる場合に、前記平均撮影時間での医用画像の撮影が不可と判断する請求項２に記載の待ち時間予測装置。
【請求項４】
前記補正部は、前記判断部で前記患者の医用画像の撮影が前記平均撮影時間でできないと判断した理由に応じて、前記待ち時間の補正量を変更する請求項２または３に記載の待ち時間予測装置。
【請求項５】
前記待ち時間算出部は、一定時間毎に、または前記撮影オーダ管理装置が新しい撮影オーダを受け付けた場合、撮影が完了して前記撮影オーダの件数が減った場合、受付済みの前記撮影オーダの内容が変更された場合、前記撮影オーダがキャンセルされた場合、前記撮影技師が交代した場合のうち、少なくとも１つに当てはまる場合に、前記待ち時間を再算出する請求項１から４のいずれか１項に記載の待ち時間予測装置。
【請求項６】
前記平均撮影時間算出部は、前記ログデータに記録されている前記操作の内容及び時刻のうち、前記医用画像の撮影開始を表す操作が行われた時刻から、撮影された医用画像のデータを画像サーバに送信する操作の時刻までの時間を、前記撮影時間として算出する請求項１から５のいずれか１項に記載の待ち時間予測装置。
【請求項７】
前記担当撮影技師は、前記撮影技師が前記コンソールにログインする際に入力された前記撮影技師の識別情報に基づいて特定される請求項１から６のいずれか１項に記載の待ち時間予測装置。
【請求項８】
前記配信部は、最新の前記待ち時間が取得可能なアクセス情報を表す二次元バーコードを作成し、前記待ち時間表示装置に配信する請求項１から７のいずれか１項に記載の待ち時間予測装置。
【請求項９】
前記配信部は、前記待ち時間と現在時刻とに基づいて算出した撮影開始予定時刻を前記待ち時間表示装置に配信する請求項１から８のいずれか１項に記載の待ち時間予測装置。
【請求項１０】
前記配信部は、前記待ち時間表示装置として、待ち時間ディスプレイと、前記患者に前記待ち時間が記録された前記撮影オーダの受付票を提供する受付票提供装置と、前記患者が所持する携帯情報端末との少なくとも１つに、前記待ち時間を配信する請求項１から９のいずれか１項に記載の待ち時間予測装置。
【請求項１１】
前記医用画像撮影装置は、患者を透過した放射線を受けて放射線画像を撮影する放射線撮影装置である請求項１から１０のいずれか１項に記載の待ち時間予測装置。
【請求項１２】
医用画像撮影装置のコンソールから、前記医用画像撮影装置で患者の医用画像を撮影した撮影技師、前記撮影技師による前記コンソールに対する操作の内容及び時刻、及び前記医用画像の撮影で用いた撮影手技に関する情報を含むログデータを取得するログデータ取得ステップと、
前記ログデータに記録されている前記操作の内容及び時刻に基づいて、前記撮影技師が前記医用画像を前記撮影手技で撮影するのに要した撮影時間を算出し、前記撮影時間に基づいて、前記撮影技師の前記撮影手技の種類毎の平均撮影時間を算出する平均撮影時間算出ステップと、
前記平均撮影時間を平均撮影時間格納部に格納する格納ステップと、
撮影オーダ管理装置から、医用画像の撮影依頼情報である撮影オーダを取得する撮影オーダ取得ステップと、
前記撮影オーダで依頼された撮影を担当する担当撮影技師の前記平均撮影時間のうち、前記撮影オーダに含まれる手技情報で指定された撮影手技に対応する前記平均撮影時間に基づいて、前記撮影オーダで依頼された医用画像の撮影が開始されるまでに予測される待ち時間を算出する待ち時間算出ステップと、
前記待ち時間を、待ち時間表示装置に配信する配信ステップと、
を備える待ち時間予測装置の制御方法。
【請求項１３】
医用画像撮影装置のコンソールから、前記医用画像撮影装置で患者の医用画像を撮影した撮影技師、前記撮影技師による前記コンソールに対する操作の内容及び時刻、及び前記医用画像の撮影で用いた撮影手技に関する情報を含むログデータを取得するログデータ取得ステップと、
前記ログデータに記録されている前記操作の内容及び時刻に基づいて、前記撮影技師が前記医用画像を前記撮影手技で撮影するのに要した撮影時間を算出し、前記撮影時間に基づいて、前記撮影技師の前記撮影手技の種類毎の平均撮影時間を算出する平均撮影時間算出ステップと、
前記平均撮影時間を平均撮影時間格納部に格納する格納ステップと、
撮影オーダ管理装置から、医用画像の撮影依頼情報である撮影オーダを取得する撮影オーダ取得ステップと、
前記撮影オーダで依頼された撮影を担当する担当撮影技師の前記平均撮影時間のうち、前記撮影オーダに含まれる手技情報で指定された撮影手技に対応する前記平均撮影時間に基づいて、前記撮影オーダで依頼された医用画像の撮影が開始されるまでに予測される待ち時間を算出する待ち時間算出ステップと、
前記待ち時間を、待ち時間表示装置に配信する配信ステップと、
をコンピュータに実行させる待ち時間予測プログラム。
【発明の詳細な説明】
【技術分野】
【０００１】
本発明は、医用画像の撮影待ち時間を予測する待ち時間予測装置、待ち時間予測装置の制御方法、及び待ち時間予測プログラムに関する。
【背景技術】
【０００２】
医療分野において、医用画像撮影装置で医用画像を撮影する検査業務が行われている。医用画像撮影装置として、患者を透過した放射線（例えばＸ線）により、被写体の放射線画像を検出する放射線撮影装置が知られている。放射線撮影装置は、放射線を発生する放射線発生装置と組み合わされて、放射線撮影システムを構成する。放射線発生装置は、放射線を被写体に向けて照射する放射線源、放射線源の駆動を制御する線源制御装置、及び放射線源を動作させるための指示を線源制御装置に入力する照射スイッチを備える。放射線撮影装置は、放射線画像検出装置及びコンソールを備える。
【０００３】
放射線画像検出装置は、フラットパネルディテクタ（ＦＰＤ；flat panel detector）とも呼ばれるセンサパネルを有し、センサパネルによって被写体を透過した放射線を電気信号に変換することによって放射線画像を検出する。放射線画像検出装置は、検出した放射線画像を即座にコンソールに送信することができるので、コンソールで画像を表示することができ、Ｘ線フイルムやＩＰ（イメージングプレート）カセッテを利用した従来の放射線画像記録装置と比較して、撮影した直後に画像を確認できるというメリットがある。
【０００４】
コンソールには、ディスプレイと、キーボードやマウス、タッチパネルなどの入力部とを備えるコンピュータや、タブレット型端末などの携帯情報端末が用いられる。コンソールは、放射線撮影の撮影依頼情報である撮影オーダの取得と、撮影オーダの内容に基づいて決定した撮影条件を放射線画像検出装置に設定する設定操作などに用いられる。撮影オーダには、放射線撮影を依頼した医師に関する情報や、放射線撮影で用いる撮影手技（撮影部位や撮影方向など）の指示情報などが含まれる。コンソールには、コンソールを操作して放射線画像を撮影した撮影技師、コンソール及び放射線画像検出装置に対する操作の内容及び時刻、放射線撮影で用いた撮影手技などに関する情報を含むログデータが記録される。撮影手技とは、撮影部位、撮影方向及び撮影姿勢など、放射線撮影に用いられる撮影手法のことである。
【０００５】
検査業務は、内科や外科など様々な診療科からの撮影オーダを受け付けて行われるため、撮影オーダの件数が多い場合には、撮影開始までに待ち時間が生じることがある。このような待ち時間を患者が有効に利用できるようにするために、特許文献１には、撮影オーダの内容と、撮影技師毎の平均撮影時間とに基づいて、放射線撮影が開始されるまでに予測される待ち時間を算出し、算出した待ち時間をディスプレイに表示し、あるいは患者の携帯情報端末などに送信する医療検査支援システムが記載されている。
【０００６】
特許文献１は、診療科から放射線科に向けて送信される撮影オーダを管理するＲＩＳ（Radiology Information System）サーバに、実施結果管理テーブル及び平均撮影時間管理テーブルが格納されたデータベースと、平均撮影時間及び予測待ち時間を算出する演算部とを備えている。実施結果管理テーブルには、所定期間内（例えば１カ月）に行われた複数件の放射線撮影の各撮影時間データとして、各放射線撮影の撮影開始時刻と、撮影終了時刻とが格納されている。平均撮影時間管理テーブルには、撮影技師毎の平均撮影時間が格納されている。
【０００７】
演算部は、任意の撮影技師による複数件の放射線撮影について、撮影終了時刻から撮影開始時刻を減算して撮影時間を算出し、算出した複数件分の撮影時間を加算して、任意の撮影技師の１カ月分の総撮影時間を算出し、総撮影時間を１カ月分の撮影件数で除算して平均撮影時間を算出する。また、演算部は、ＲＩＳサーバが新たな撮影オーダを受け付けた場合には、撮影オーダの内容と、平均撮影時間管理テーブルに格納されている平均撮影時間とに基づいて、撮影オーダで依頼された撮影が開始されるまでの予測待ち時間を算出する。
【０００８】
特許文献１によれば、患者は放射線撮影が開始されるまでのおおよその待ち時間を知ることができるので、待ち時間を有効に利用することができる。また、患者が予測待ち時間に基づいて行動し、放射線撮影が開始されるまでに待合室に戻るようになれば、患者が戻るのを待つために生じる撮影技師の待機時間も少なくなるので、検査業務の効率が向上する。
【先行技術文献】
【特許文献】
【０００９】
【特許文献１】特開２００９−１３４４２４号公報
【発明の概要】
【発明が解決しようとする課題】
【００１０】
患者の満足度向上のため、患者に提供される待ち時間の予測精度の向上が望まれている。待ち時間の予測精度が低いと、待ち時間を参考にした患者が待合室に戻ってから、さらに待ち時間が生じるなどの問題が発生して満足度が低下してしまう。また、待ち時間の予測精度が低い場合には、撮影開始時刻に患者が待合室に戻らないなどの問題も生じてしまい、検査業務の効率にも影響が及ぶ。待ち時間の予測精度を高くするには、放射線撮影の撮影開始時刻と撮影終了時刻とを正確に測定して撮影時間を算出し、算出した撮影時間から平均撮影時間を求める必要がある。
【００１１】
例えば、放射線撮影の撮影開始時刻及び撮影終了時刻は、撮影技師が放射線撮影の開始時と終了時に時刻を測定し、放射線撮影装置のコンソールからＲＩＳサーバにアクセスして、確認した時刻を実施結果管理テーブルに入力することができる。しかし、撮影技師が撮影開始時刻及び撮影終了時刻の測定と入力までを行うようにすると、検査業務が煩雑になってしまう。また、撮影開始時刻及び撮影終了時刻の測定及び入力を人手作業とした場合、測定ミスやの入力ミスなどが発生する可能性もある。撮影開始時刻及び撮影終了時刻の測定ミスや入力ミスが発生すると、待ち時間の予測精度が低下する。この点において、特許文献１には、複数件の放射線撮影の撮影開始時刻及び撮影終了時刻をどのように測定するのか、また、測定した撮影開始時刻及び撮影終了時刻をどのようにして実施結果管理テーブルに格納するのかは記載されておらず、撮影開始時刻及び撮影終了時刻を測定及び格納できるような構成も記載されていない。
【００１２】
本発明は、上記課題に鑑みてなされたものであり、医用画像の撮影が開始されるまでの待ち時間を精度よく予測することができる待ち時間予測装置、待ち時間予測装置の制御方法及び待ち時間予測プログラムを提供することを目的とする。
【課題を解決するための手段】
【００１３】
上記目的を達成するために、本発明の待ち時間予測装置は、ログデータ取得部、平均撮影時間算出部、平均撮影時間格納部、撮影オーダ取得部、待ち時間算出部及び配信部を備える。ログデータ取得部は、医用画像撮影装置のコンソールから、医用画像撮影装置で患者の医用画像を撮影した撮影技師、撮影技師によるコンソールに対する操作の内容及び時刻、及び医用画像の撮影で用いた撮影手技に関する情報を含むログデータを取得する。平均撮影時間算出部は、ログデータに記録されている操作の内容及び時刻に基づいて、撮影技師が医用画像を撮影手技で撮影するのに要した撮影時間を算出し、産出した撮影時間に基づいて、撮影技師の撮影手技の種類毎の平均撮影時間を算出する。平均撮影時間格納部は、平均撮影時間を格納する。撮影オーダ取得部は、撮影オーダ管理装置から、医用画像の撮影依頼情報である撮影オーダを取得する。待ち時間算出部は、撮影オーダで依頼された撮影を担当する担当撮影技師の平均撮影時間のうち、撮影オーダに含まれる手技情報で指定された撮影手技に対応する平均撮影時間に基づいて、撮影オーダで依頼された医用画像の撮影が開始されるまでに予測される待ち時間を算出する。配信部は、待ち時間を待ち時間表示装置に配信する。
【００１４】
診療情報管理装置から、撮影オーダで撮影を依頼された患者の診療情報を取得する診療情報取得部と、取得した診療情報に基づき、患者の医用画像の撮影が平均撮影時間で可能か否かを判断する判断部と、判断部で患者の医用画像の撮影が平均撮影時間でできないと判断された場合には、待ち時間を長く補正する補正部とを備えることが好ましい。
【００１５】
診療情報は、患者が通常のポジショニングをとれる状態か否か、歩行が困難か否か、及び患者の年齢のうちの少なくとも１つを含み、判断部は、患者が通常のポジショニングをとれない場合、歩行が困難な場合、及び患者が予め設定した基準年齢以上である場合のうち、少なくとも１つに当てはまる場合に、平均撮影時間での医用画像の撮影ができないと判断することが好ましい。
【００１６】
補正部は、判断部で患者の医用画像の撮影が平均撮影時間でできないと判断した理由に応じて、待ち時間の補正量を変更してもよい。
【００１７】
待ち時間算出部は、一定時間毎に、または撮影オーダ管理装置が新しい撮影オーダを受け付けた場合、撮影が完了して撮影オーダの件数が減った場合、受付済みの撮影オーダの内容が変更された場合、撮影オーダがキャンセルされた場合、撮影技師が交代した場合のうち、少なくとも１つに当てはまる場合に、待ち時間を再算出することが好ましい。
【００１８】
平均撮影時間算出部は、ログデータに記録されている操作の内容及び時刻のうち、医用画像の撮影開始を表す操作が行われた時刻から、撮影された医用画像のデータを画像サーバに送信する操作の時刻までの時間を、撮影時間として算出することが好ましい。
【００１９】
担当撮影技師は、撮影技師がコンソールにログインする際に入力された撮影技師の識別情報に基づいて特定されることが好ましい。
【００２０】
配信部は、最新の待ち時間が取得可能なアクセス情報を表す二次元バーコードを作成して待ち時間表示装置に配信することが好ましい。
【００２１】
配信部は、待ち時間と現在時刻とに基づいて算出した撮影開始予定時刻を待ち時間表示装置に配信することが好ましい。
【００２２】
配信部は、待ち時間表示装置として、待ち時間ディスプレイと、患者に待ち時間が記録された撮影オーダの受付票を提供する受付票提供装置と、患者が所持する携帯情報端末との少なくとも１つに、待ち時間を配信することが好ましい。
【００２３】
医用画像撮影装置として、患者を透過した放射線を受けて放射線画像を撮影する放射線画像撮影装置を用いてもよい。
【００２４】
本発明の待ち時間予測装置の制御方法は、医用画像撮影装置のコンソールから、医用画像撮影装置で患者の医用画像を撮影した撮影技師、撮影技師によるコンソールに対する操作の内容及び時刻、及び医用画像の撮影で用いた撮影手技に関する情報を含むログデータを取得するログデータ取得ステップと、ログデータに記録されている操作の内容及び時刻に基づいて、撮影技師が医用画像を撮影手技で撮影するのに要した撮影時間を算出し、撮影時間に基づいて、撮影技師の撮影手技の種類毎の平均撮影時間を算出する平均撮影時間算出ステップと、平均撮影時間を平均撮影時間格納部に格納する格納ステップと、撮影オーダ管理装置から、医用画像の撮影依頼情報である撮影オーダを取得する撮影オーダ取得ステップと、撮影オーダで依頼された撮影を担当する担当撮影技師の平均撮影時間のうち、撮影オーダに含まれる手技情報で指定された撮影手技に対応する平均撮影時間に基づいて、撮影オーダで依頼された医用画像の撮影が開始されるまでに予測される待ち時間を算出する待ち時間算出ステップと、待ち時間を待ち時間表示装置に配信する配信ステップと、を備える。
【００２５】
本発明の待ち時間予測プログラムは、ログデータ取得ステップ、平均撮影時間算出ステップ、格納ステップ、撮影オーダ取得ステップ、待ち時間算出ステップ及び配信ステップをコンピュータに実行させるものである。
【発明の効果】
【００２６】
本発明によれば、平均撮影時間算出部により、コンソールから取得したログデータに基づき、撮影技師毎に撮影手技毎の平均撮影時間を算出する。したがって、撮影技師が撮影開始時刻及び撮影終了時刻を時計で測定し、測定結果をコンソールに入力するなどの手作業を行う必要がなくなる。また、手作業に伴う、撮影開始時刻及び撮影終了時刻の測定ミスや、コンソールへの入力ミスなども発生しないので、撮影開始時刻及び撮影終了時刻を正確に測定することができ、正確な平均撮影時間を算出することができる。また、待ち時間算出部により、撮影オーダの手技情報で指定された撮影手技と、撮影技師の撮影手技毎に正確に算出された平均撮影時間とに基づいて待ち時間を算出するので、待ち時間の予測精度が向上する。また、予測精度が向上した待ち時間により、患者は待ち時間を有効に利用することできるので、患者の満足度が向上する。さらに、患者が待ち時間にしたがって行動することにより、撮影開始時に患者がいないなどの問題も生じないので、検査業務の効率も向上する。
【図面の簡単な説明】
【００２７】
【図１】医療情報ネットワークシステムの構成図である。
【図２】医療情報ネットワークシステムで送受信されている情報の説明図である。
【図３】撮影オーダの内容を示す説明図である。
【図４】撮影オーダＤＢの内容を示す説明図である。
【図５】平均撮影時間格納部の内容を示す説明図である。
【図６】ログデータの内容を示す説明図である。
【図７】放射線撮影システムの構成図である。
【図８】放射線画像検出装置の外観を示す斜視図である。
【図９】コンソールの操作画面の説明図である。
【図１０】待ち時間予測装置を構成するコンピュータの電気的な構成を示すブロック図である。
【図１１】待ち時間予測装置を構成するコンピュータのＣＰＵの機能を示すブロック図である。
【図１２】ログデータに基づく撮影時間を示すタイムチャートである。
【図１３】平均撮影時間の算出手順を示すフローチャートである。
【図１４】待ち時間の予測手順を示すフローチャートである。
【図１５】第２実施携帯の待ち時間予測装置を構成するコンピュータのＣＰＵの機能を示すブロック図である。
【図１６】第２実施形態で待ち時間の補正判断に用いる診療情報を示す図である。
【図１７】第２実施形態の待ち時間の予測手順を示すフローチャートである。
【発明を実施するための形態】
【００２８】
[第１実施形態]
図１において、医療情報ネットワークシステム１０は、病院などの医療施設で医療業務を支援するコンピュータシステムである。医療情報ネットワークシステム１０は、診療科端末１１、ＨＩＳサーバ１２、ＲＩＳサーバ１３、ＰＡＣＳサーバ１４、放射線画像撮影装置のコンソール１５、待ち時間予測装置１６、待ち時間ディスプレイ１７、及びこれらを相互通信可能に接続する通信ネットワーク１８などで構成される。通信ネットワーク１８は、例えば、医療施設内に敷設されたＬＡＮ（Local Area Network）や移動体通信ネットワークである。
【００２９】
診療科端末１１は、内科や外科などの診療科の診察室などに設置されており、診療科の医師Ｄや看護師などにより使用される。診療科端末１１は、電子カルテの閲覧や診療情報の入力、放射線撮影の撮影依頼情報である撮影オーダの発行、放射線画像の閲覧などに用いられる。
【００３０】
ＨＩＳサーバ１２は、病院情報システム（ＨＩＳ：Hospital Information System）のサーバであり、電子カルテを管理する診療情報管理装置である。ＨＩＳサーバ１２は、診療科端末１１からのアクセスを受け付け、診療科端末１１から要求された任意の患者Ｐの電子カルテを配信し、診療科端末１１から送信された診療情報を電子カルテに記録する。
【００３１】
ＲＩＳサーバ１３は、放射線科情報システム（ＲＩＳ：Radiology Information System）のサーバであり、診療科から放射線科に向けて送信される撮影依頼情報である撮影オーダを管理する撮影オーダ管理装置である。ＲＩＳサーバ１３は、診療科端末１１から受信した撮影オーダを、放射線科の撮影室に設置されたコンソール１５に送信する。
【００３２】
ＰＡＣＳサーバ１４は、医療画像保管通信システム（ＰＡＣＳ；Picture Archiving and Communication System）のサーバであり、撮影オーダに従って撮影された放射線画像などの画像データを管理する。ＰＡＣＳサーバ１４は、コンソール１５から送信された放射線画像をデータベースに格納する。また、ＰＡＣＳサーバ１４は、診療科端末１１や、読影科の端末からのアクセスを受け付け、診療科端末１１や読影科端末から要求された任意の放射線画像を配信する。
【００３３】
コンソール１５は、放射線科の撮影室に設置されており、ＲＩＳサーバ１２から送信された撮影オーダの受信と、撮影室に設置されている放射線画像検出装置の操作とに使用される。コンソール１５は、放射線科に在籍する複数人の撮影技師が交代で操作する。本実施形態では、放射線科には、例えば撮影技師Ｔ１、撮影技師Ｔ２の２人が在籍している。撮影技師Ｔ１、Ｔ２は、医師や放射線技師である。
【００３４】
待ち時間予測装置１６は、コンソール１５からログデータ２７（図２参照）を取得し、このログデータ２７に基づいて撮影技師Ｔ１、Ｔ２の撮影手技毎の平均撮影時間を算出する機能と、平均撮影時間格納部２０に格納した平均撮影時間に基づいて、撮影オーダの放射線撮影が開始されるまでの待ち時間を予測する機能とを備えている。待ち時間予測装置１６は、一定期間毎（例えば１カ月毎）にコンソール１５からログデータ２７を取得して平均撮影時間を算出し、算出した平均撮影時間を平均撮影時間格納部２０に格納する。また、待ち時間予測装置１６は、一定時間毎（例えば数分毎）に、またはＲＩＳサーバ１３からの要求に応じて、撮影オーダの放射線撮影が開始されるまでの待ち時間を予測する。待ち時間予測装置１６は、予測した待ち時間を、放射線科の待合室に設置されている待ち時間ディスプレイ１７と、ＲＩＳサーバ１３とに配信する。待ち時間ディスプレイ１７は、例えば、コンピュータから入力された画像データが表示可能な液晶ディスプレイであり、待ち時間予測装置１６から配信された撮影オーダ毎の待ち時間を表示する、待ち時間表示装置である。
【００３５】
上記医療情報ネットワークシステム１０についてさらに説明すると、図２に示すように、ＲＩＳサーバ１３は、診療科端末１１から送信された撮影オーダを受信し、受信した撮影オーダに受付番号を付与して撮影オーダＤＢ（Data Base)２３に格納し、その進行状況を管理する。ＲＩＳサーバ１３は、受付番号を付与した撮影オーダを、撮影室のコンソール１５に送信する。コンソール１５は、撮影技師Ｔ１、Ｔ２がコンソール１５を操作してＲＩＳサーバ１３にログインする際に、撮影技師Ｔ１、Ｔ２の識別情報である技師ＩＤを含むログイン情報をＲＩＳサーバ１３に送信する。また、コンソール１５は、撮影オーダで依頼された放射線撮影が開始された場合と、放射線撮影が完了した場合に、撮影開始信号及び撮影完了信号をＲＩＳサーバ１３に送信する。ＲＩＳサーバ１３は、コンソール１５から送信された技師ＩＤ、撮影開始信号及び撮影完了信号を受信し、撮影オーダＤＢ２３において撮影オーダの進行状況を更新する。
【００３６】
また、ＲＩＳサーバ１３は、新しい撮影オーダを受け付けた場合、コンソール１５から撮影完了信号を受信して撮影オーダの件数が減った場合、受付済みの撮影オーダの内容が変更された場合、撮影オーダがキャンセルされた場合、撮影技師が交代した場合に、待ち時間予測装置１６に対して待ち時間の予測を要求する。待ち時間予測装置１６は、要求に応じて、または一定時間毎に撮影オーダの待ち時間を予測する。予測された待ち時間は、待ち時間ディスプレイ１７及びＲＩＳサーバ１３に配信される。待ち時間ディスプレイ１７には、撮影オーダ毎の待ち時間が表示される。
【００３７】
また、待ち時間予測装置１６は、患者Ｐが自身の携帯電話（携帯情報端末）２５を利用して最新の待ち時間を閲覧できるようにするため、待ち時間予測装置１６へのアクセス情報を表す二次元バーコードＢＣを作成する。待ち時間予測装置１６は、予測した待ち時間及び作成した二次元バーコードＢＣをＲＩＳサーバ１３に送信する。
【００３８】
ＲＩＳサーバ１３は、待ち時間予測装置１６から送信された待ち時間及び二次元バーコードＢＣを受信する。ＲＩＳサーバ１３は、撮影オーダの受け付けが完了したことを通知する受付完了通知に、待ち時間予測装置１６から受信した待ち時間及び二次元バーコードＢＣを含めて診療科端末１１に送信する。
【００３９】
診療科端末１１は、患者Ｐに待ち時間が記録された撮影オーダの受付票ＲＴを提供する受付票提供装置としても機能する。診療科端末１１は、ＲＩＳサーバ１３から送信された受付完了通知を受信する。受付完了通知には、ＲＩＳサーバ１３で付与された撮影オーダの受付番号と、受付時刻と、撮影内容と、待ち時間及び二次元バーコードＢＣが含まれている。診療科端末１１は、受付完了通知に基づいて、患者に渡すための受付票ＲＴを印刷する。受付票ＲＴには、受付番号、受付時刻、撮影内容、待ち時間とともに、二次元バーコードＢＣが印刷される。
【００４０】
患者Ｐの携帯電話２５は、本発明の待ち時間表示装置としても機能する。携帯電話２５のカメラで二次元バーコードＢＣを撮影すると、携帯電話２５は、二次元バーコード読み取り機能によって二次元バーコードＢＣから待ち時間予測装置１６へのアクセス情報を読み出す。また、携帯電話２５は、ブラウザソフトを起動して待ち時間予測装置１６にアクセスし、最新の待ち時間を取得する。携帯電話２５のディスプレイには、待ち時間予測装置１６から取得した最新の待ち時間が表示されるので、患者Ｐは待ち時間を確認して有効に利用することができる。
【００４１】
図３において、撮影オーダ３０は、受付番号、医師ＩＤ、患者ＩＤ、及び手技情報の項目を有する。受付番号は、個々の撮影オーダ３０を識別するための情報である。受付番号は、診療科端末１１から撮影オーダ３０を受け付けた際にＲＩＳサーバ１３により自動的に付与される。医師ＩＤは、撮影オーダ３０を発行した診療科の医師Ｄを識別するための情報である。患者ＩＤは、放射線撮影の撮影対象である患者Ｐを識別するための情報であり、患者の初診の際にＨＩＳサーバ１２により自動的に付される。手技情報は、放射線撮影において行う撮影手技を指示するための情報である。撮影手技には、頭部、頸椎、胸部、腹部、手、指、肘、膝といった人体の各部位を示す撮影部位と、立位、臥位などの撮影姿勢と、正面、側面、斜位といった撮影方向とが含まれる。撮影オーダ３０には、これらの項目の他に、ＲＩＳサーバ１３で撮影オーダ３０を受け付けた日時や、術後の経過観察等の放射線撮影の目的、診療科の医師Ｄから撮影技師Ｔ１またはＴ２への申し渡し事項、患者Ｐに関する情報（患者名、性別、年齢）等の項目も含まれている。
【００４２】
図４において、撮影オーダＤＢ２３は、テーブル形式のデータベースであり、このデータベースの各レコードには、撮影オーダ３０の各項目に加えて、放射線撮影を担当する撮影技師Ｔ１、Ｔ２の識別に用いられる技師ＩＤと、進行状況等が格納されている。技師ＩＤは、撮影技師Ｔ１、Ｔ２がコンソール１５を操作してＲＩＳサーバ１３にログインする際に、コンソール１５から送信されるログイン情報に含まれる技師ＩＤが登録される。したがって、撮影技師が交代する場合には、ＲＩＳサーバ１３は、受信したログイン情報に基づいて撮影オーダＤＢ２３の技師ＩＤを更新する。進行状況には、撮影オーダ３０の放射線撮影が終了したことを示す「撮影済み」、放射線撮影を行っている最中であることを示す「撮影中」、放射線撮影を行っていないことを示す「未撮影」のいずれかが記される。ＲＩＳサーバ１３は、新しい撮影オーダ３０を受け付けて撮影オーダＤＢ２３に登録する際には、進行状況の項目に「未撮影」を登録する。また、コンソール１５から撮影開始信号を受信した場合には、撮影開始信号に対応する撮影オーダ３０の進行状況を「撮影中」に更新する。さらに、コンソール１５から撮影終了信号を受信した場合には、撮影終了信号に対応する撮影オーダ３０の進行状況を「撮影済み」に更新する。
【００４３】
なお、撮影オーダ３０は、図示するように１人の患者に対して１つの場合もあれば、１人の患者に対して同時に複数発行される場合もある。１人の患者に対して同時に複数撮影オーダ３０が発行された場合は、ＲＩＳサーバ１３は、オーダＩＤの後に識別符号を付ける等して複数の撮影オーダ３０を関連付ける。
【００４４】
図５において、平均撮影時間格納部２０は、テーブル形式のデータベースであり、このデータベースの各レコードには、技師ＩＤと、撮影技師Ｔ１、Ｔ２の撮影手技毎の平均撮影時間とが格納されている。平均撮影時間は、例えば、分及び秒の単位で記録されている。
【００４５】
図６において、ログデータ２７は、コンソール１５の操作及び入出力データの記録であり、記録されている情報の項目として、技師ＩＤ、操作内容及び入出力データ、日付、時刻及び備考を備えている。技師ＩＤは、コンソール１５を操作した撮影技師の技師ＩＤであり、コンソール１５へのログイン時に使用された技師ＩＤが記録される。したがって、コンソール１５に別の撮影技師がログインした場合には、その別の撮影技師の技師ＩＤが記録される。操作内容は、撮影技師がコンソール１５に対して行った操作の内容であり、ログイン、撮影オーダ取得、撮影オーダ選択、撮影条件設定、撮影準備指示、画像データ送信などの操作内容が記録される。入出力データは、データの種類と、入力または出力のいずれであるかが記録され、例えば、画像データ受信などが記録される。
【００４６】
操作内容の「ログイン」は、撮影技師Ｔ１、Ｔ２が、コンソール１５からＲＩＳサーバ１３にログインする際の操作である。「撮影オーダ取得」は、ＲＩＳサーバ１３から撮影オーダを取得する際の操作である。「撮影オーダ選択」は、取得した撮影オーダの中から、放射線撮影を行う撮影オーダを選択する操作である。「撮影条件設定」は、選択した撮影オーダに応じて、管電圧や管電流などの撮影条件を設定する操作である。「撮影準備指示」は、放射線画像検出装置を、放射線画像の検出が可能な撮影準備状態（Ｒｅａｄｙ）に移行させる操作である。「画像データ受信」は、放射線画像検出装置で検出された放射線画像の画像データの受信を示す。また、「画像データ送信」は、放射線画像の確認後にＰＡＣＳサーバ１４へ画像データを送信する操作を示す。
【００４７】
日付及び時刻は、コンソール１５の操作と、コンソール１５にデータが入出力された日付及び時刻である。備考には、操作内容やデータ内容に関連する情報が記録される。例えば、操作内容「撮影オーダ選択」では、選択された撮影オーダの受付番号と、手技情報とが記録される。また、「撮影条件設定」では、設定された撮影条件の管電圧（単位；ｋＶ）、管電流（単位；ｍＡ）、及び放射線の照射時間（単位；ｓ）が記録される。
【００４８】
図７において、放射線撮影システム３３は、撮影室に設置されている。放射線撮影システム３３は、放射線発生装置３４、放射線撮影装置３５で構成されている。放射線発生装置３４は、放射線源３６と、放射線源３６を制御する線源制御装置３７と、照射スイッチ３８とを有する。放射線源３６は、放射線（例えばＸ線）を放射する放射線管と放射線管が放射する放射線の照射野を限定する照射野限定器（コリメータ）とを有している。
【００４９】
線源制御装置３７は、放射線のエネルギースペクトルを決める管電圧、単位時間当たりの照射量を決める管電流、及び放射線の照射が継続する照射時間などの撮影条件に基づいて、放射線源３６を制御する。管電圧、管電流、照射時間といった撮影条件は、線源制御装置３７の操作パネル（図示せず）を通じて撮影技師Ｔ１、Ｔ２によって手動で設定される。照射スイッチ３８は、撮影技師Ｔ１、Ｔ２によって操作され、放射線源３６に照射を開始させるための照射開始信号を発生する。照射スイッチ３８が発生する照射開始信号は、信号ケーブルを通じて線源制御装置３７に入力される。
【００５０】
線源制御装置３７は、照射スイッチ３８からの信号に基づいて、放射線源３６の動作を制御する。照射スイッチ３８から照射開始信号を受けた場合、線源制御装置３７は、放射線源３６への電力供給を開始するとともに、タイマを作動させて放射線の照射時間の計測を開始する。そして、撮影条件で設定された照射時間が経過すると、線源制御装置３７は、放射線の照射を停止させる。放射線の照射時間は、照射条件に応じて変化する。線源制御装置３７には、安全規制上の最大照射時間が設定されており、照射条件に基づいて設定される照射時間は、最大照射時間の範囲内で設定される。
【００５１】
放射線撮影装置３５は、放射線画像検出装置４０、撮影台４１、撮影制御装置４２及びコンソール１５で構成されており、本発明の医用画像撮影装置である。放射線画像検出装置４０は、扁平かつ平板状で、平面形状が矩形状の筐体４５（図８参照）を備える。筐体４５は、フイルムカセッテやＩＰカセッテの国際規格ＩＳＯ４０９０：２００１に準拠した形状をしている。そのため、放射線画像検出装置４０は、一般に電子カセッテとも呼ばれている。放射線画像検出装置４０は、放射線源３６から照射され患者Ｐを透過した放射線に基づいて、患者Ｐの放射線画像を検出する。
【００５２】
撮影台４１は、患者Ｐを立位姿勢で撮影する場合に使用される立位撮影台である。撮影台４１は、放射線画像検出装置４０が着脱自在に取り付けられるスロットを有し、放射線画像検出装置４０の前面４５ａ（図８参照）が放射線源３６と対向する姿勢で放射線画像検出装置４０を保持する。放射線画像検出装置４０は、上述した国際規格に準拠した形状を有するため、撮影台４１として、フイルムカセッテやＩＰカセッテ用の撮影台を用いることもできる。また、撮影台４１として、立位撮影台を例示しているが、もちろん、患者Ｐを臥位姿勢で撮影する臥位撮影台でもよい。また、患者Ｐの四肢（手足）など、撮影台４１に取り付けた状態で撮影しにくい撮影部位を撮影する場合には、放射線画像検出装置４０は、撮影台４１から取り外されて使用される。
【００５３】
撮影制御装置４２は、無線方式により放射線画像検出装置４０と通信可能に接続されており、コンソール１５からの動作指示に応じて放射線画像検出装置４０を制御する。具体的には、コンソール１５から送信された撮影条件に基づき、放射線画像検出装置４０を撮影条件に応じた動作状態に設定させる。また、放射線画像検出装置２４を放射線画像の検出が可能な撮影準備状態（Ｒｅａｄｙ）に移行させる。さらに、放射線源３６の照射タイミングと放射線画像検出装置４０の検出動作を同期させるための同期信号を線源制御装置３７から受信して、これを放射線画像検出装置４０に送信することにより、放射線源３６と放射線画像検出装置４０の同期制御を行う。また、撮影制御装置４２は、放射線画像検出装置４０が出力する画像データを受信して、コンソール１５に送信する。
【００５４】
コンソール１５は、デスクトップ型のコンピュータである。なお、ノートブック型のコンピュータや、タブレット型、スマートフォンなどの携帯情報端末をコンソールとして利用することもできる。コンソール１５は、通信ネットワーク１８及び撮影制御装置４２と通信可能に接続されている。コンソール１５は、撮影技師Ｔ１、Ｔ２がＲＩＳサーバ１３にログインする際に、技師ＩＤを含むログイン情報を送信する。また、コンソール１５は、ＲＩＳサーバ１３から撮影オーダを取得するとともに、放射線撮影を開始する際及び終了する際には、ＲＩＳサーバ１３に対して撮影開始信号及び撮影終了信号を送信する。コンソール１５は、撮影制御装置４２を介して放射線画像検出装置４０に動作指示を行うとともに、放射線画像検出装置４０が検出した放射線画像を、撮影制御装置４２を経由して受信して表示する。
【００５５】
図８に示すように、放射線画像検出装置４０は、センサパネル４４と、センサパネル４４を収容する可搬型の筐体４５とを備えている。筐体４５は、放射線の入射面となる前面４５ａと反対側の背面４５ｂの平面形状が矩形状である。前面４５ａには、放射線を透過する透過板４６が設けられている。
【００５６】
センサパネル４４は、シンチレータ及び光電変換部（図示せず）を有し、シンチレータによって放射線を可視光に変換し、光電変換部によって可視光を電気信号に変換する間接変換型である。光電変換部は、ＴＦＴアクティブマトリクス基板であり、放射線の入射線量に応じた電荷を蓄積する複数の画素が二次元に配列された撮像領域を有している。画素は、フォトダイオード及びＴＦＴで構成される。シンチレータには、ヨウ化セシウムなどの蛍光体が用いられており、撮像領域の全面と対面するように配置される。
【００５７】
筐体４５内には、センサパネル４４の他、制御回路基板、通信制御回路及びバッテリ（図示せず）なども設けられている。制御回路基板は、センサパネル４４の光電変換部を駆動するゲートドライバや、光電変換部から画像信号を読み出す読み出し回路、読み出した画像信号をデジタルな放射線画像のデータに変換するＡ／Ｄコンバータ、放射線画像を記憶するメモリなどを有する。通信制御回路は、撮影制御装置４２と無線通信を行う無線通信回路を備えている。バッテリは、センサパネル４４などの各部に電力を供給する。放射線画像検出装置４０は、無線通信を行うワイヤレスタイプであり、バッテリにより電源ケーブルも不要となっているため、取り扱い性がよい。
【００５８】
放射線画像検出装置４０は、放射線画像をデジタルの画像データとして検出できることから、ＤＲ（Digital Radiography)装置とも呼ばれているが、放射線画像検出装置として、ＤＲ装置の代わりに、ＣＲ(Computed Radiography)装置を用いてもよい。ＣＲ装置は、被写体を透過した放射線の放射線エネルギを蓄積する蓄積性蛍光体パネルと、蓄積性蛍光体パネルを収容する筐体とを備えている。筐体は、ＤＲ装置と同様に国際規格ＩＳＯ４０９０：２００１に準拠した形状をしている。ＤＲ装置は、蓄積性蛍光体パネルに励起光を照射することで、放射線画像を輝尽発光光として取り出すことができる。
【００５９】
図９において、コンソール１５のディスプレイ１５ａ（図７参照）には、ＧＵＩ（Graphical User Interface）による操作画面４９が表示される。操作画面４９には、操作画面４９の一部を指示するためのポインタ５０が表示され、ポインタ５０は、コンソール１５に付属するマウスや入力パッドなどの入力デバイスによって操作される。
【００６０】
操作画面４９には、患者基本情報表示領域５２、画像表示領域５３、撮影オーダ表示領域５４、操作部表示領域５５が設けられている。撮影オーダ表示領域５４は、ＲＩＳサーバ１３から受信した撮影オーダ３０を表示する領域である。入力デバイスの操作により１件の撮影オーダ３０が選択されると、選択された撮影オーダ３０が反転表示して未選択の撮影オーダ３０と識別可能に表示される。そして、患者基本情報表示領域５２には、選択された撮影オーダ３０に含まれる患者の情報（患者名、患者ＩＤ、性別、年齢）が表示される。操作画面４９で撮影オーダ３０が選択されると、ログデータ２７には、操作内容として「撮影オーダ選択」が記録される。また、コンソール１５は、撮影オーダ３０が選択された場合には、ＲＩＳサーバ１３へ撮影開始信号を送信する。
【００６１】
また、撮影オーダ表示領域５４には、新着の撮影オーダを受信したことを表示する新着インジケータ５６が設けられている。新着インジケータ５６には、新着の撮影オーダの件数が表示される。撮影技師Ｔ１、Ｔ２は、この表示により、新規の撮影オーダや追加の撮影オーダの有無を確認することができる。コンソール１５で新着の撮影オーダ３０を取得すると、新着インジケータ５６の表示が消える。
【００６２】
画像表示領域５３は、撮影後に放射線画像検出装置４０から送信された放射線画像を表示する領域である。図６において、画像表示領域５３は、放射線画像が表示された状態で示しているが、撮影前の状態では、画像表示領域５３には何も表示されない。コンソール１５が放射線画像検出装置４０から放射線画像の画像データを受信すると、画像表示領域５３には、放射線画像が表示される。コンソール１５で放射線画像の画像データを受信すると、ログデータ２７には、操作内容として「画像データ受信」が記録される。
【００６３】
撮影技師Ｔ１、Ｔ２は、画像表示領域５３の放射線画像を見て撮影が適切に行われたか否かを確認することができる。画像表示領域５３の下方には、確認した放射線画像の画像データをＰＡＣＳサーバ１４に送信するための送信ボタン５３ａが設けられている。送信ボタン５３ａがポインタ５０で操作されると、画像表示領域５３に表示されている放射線画像の画像データは、コンソール１５からＰＡＣＳサーバ１４に送信される。また、コンソール１５は、ＲＩＳサーバ１３へ撮影終了信号を送信する。送信ボタン５３ａが操作されると、ログデータ２７には、操作内容として「画像データ送信」が記録される。
【００６４】
操作部表示領域５５には、設定ボタン５８、撮影準備指示ボタン５９、Ｒｅａｄｙインジケータ６０、オーダ取得ボタン６１が設けられている。設定ボタン５８は、撮影条件や放射線画像検出装置４０の各種の設定を行うためのボタンである。設定ボタン５８がポインタ５０で選択されると、設定画面が表示される。設定画面で撮影条件が設定されると、ログデータ２７には、操作内容として「撮影条件設定」が記録される。
【００６５】
撮影準備指示ボタン５９は、放射線画像検出装置４０に対し撮影準備指示を送信するための操作ボタンである。撮影準備指示ボタン５９の操作により、コンソール１５から放射線画像検出装置４０に対して撮影準備指示が送信される。また、撮影準備指示ボタン５９が操作されると、ログデータ２７には、操作内容として「撮影準備指示」が記録される。
【００６６】
放射線画像検出装置４０は、撮影準備指示を受信すると、光電変換部において電荷蓄積可能な撮影準備状態への移行処理を行って、移行が完了した場合には、応答として移行完了信号をコンソール１５に送信する。Ｒｅａｄｙインジケータ６０は、コンソール１５が移行完了信号を受信すると点灯する。撮影技師Ｔ１、Ｔ２は、Ｒｅａｄｙインジケータ６０の点灯により放射線画像検出装置４０が撮影準備状態にあることを確認することができる。
【００６７】
オーダ取得ボタン６１は、ＲＩＳサーバ１３にアクセスして撮影オーダを取得するためのボタンである。オーダ取得ボタン６１が操作されると、ＲＩＳサーバ１３に対して撮影オーダ配信要求が送信される。未取得の撮影オーダがある場合には、ＲＩＳサーバ１３から撮影オーダが配信される。撮影オーダ３０が取得されると、ログデータ２７には、操作内容として「撮影オーダ取得」が記録される。
【００６８】
図１０において、待ち時間予測装置１６は、コンピュータにオペレーティングシステムなどの制御プログラムや、コンピュータを待ち時間予測装置１６として機能させるためのアプリケーションプログラム（待ち時間予測プログラムと呼ぶ）１６Ｊをインストールして構成される。待ち時間予測装置１６は、ディスプレイ１６Ａの他、入力デバイス１６Ｂ、ＣＰＵ１６Ｃ、メモリ１６Ｄ、ストレージデバイス１６Ｅ、通信Ｉ／Ｆ１６Ｆが設けられており、これらはデータバス１６Ｇを介して接続されている。
【００６９】
入力デバイス１６Ｂは、キーボード、マウス、ディスプレイ１６Ａと一体となったタッチパネルなどである。ストレージデバイス１６Ｅは、各種データを格納するデバイスであり、例えば、ハードディスクドライブで構成される。ストレージデバイス１６Ｅは、制御プログラムや、待ち時間予測プログラム１６Ｊと、平均撮影時間格納部２０とが格納される。
【００７０】
メモリ１６Ｄは、ＣＰＵ１６Ｃが処理を実行するためのワークメモリである。ＣＰＵ１６Ｃは、ストレージデバイス１６Ｅに格納された制御プログラム及び待ち時間予測プログラム１６Ｊをメモリ１６Ｄへロードして、プログラムに従った処理を実行することにより、コンピュータの各部を統括的に制御する。通信Ｉ／Ｆ１６Ｆは、通信ネットワーク１８に接続して通信するための通信インタフェースである。
【００７１】
図１１において、ＣＰＵ１６Ｃは、待ち時間予測プログラム１６Ｊを起動すると、メモリ４８などコンピュータの各部と協働して、ログデータ取得部６４、平均撮影時間算出部６５、撮影オーダ取得部６６、待ち時間算出部６７及び配信部６８として機能する。
【００７２】
ログデータ取得部６４は、コンソール１５からログデータ２７を取得する。ログデータ取得部６４は、一定期間毎（例えば１カ月毎）にコンソール１５に対してログデータ２７の配信要求を送信する。コンソール１５は、ログデータ取得部６４からの配信要求に応じて、一定期間分（例えば１カ月分）のログデータ２７をログデータ取得部６４に送信する。
【００７３】
平均撮影時間算出部６５は、コンソール１５から取得したログデータ２７に基づいて、撮影技師Ｔ１、Ｔ２の撮影手技毎の平均撮影時間を算出する。平均撮影時間算出部６５は、平均撮影時間を算出するにあたり、まずは、撮影技師Ｔ１、Ｔ２によって撮影された複数件の放射線撮影の各撮影時間を算出する。図１２は、図６に示すログデータ２７のうち、撮影技師Ｔ１による操作の一部を時間軸に沿って配したタイムチャートである。平均撮影時間算出部６５は、撮影技師による放射線撮影のための一連の操作内容のうち、撮影技師による放射線撮影開始の意思表示である撮影オーダの選択から、撮影済みの放射線画像の後処理であるＰＡＣＳサーバ１４への画像データの送信までの時間を、１件の放射線撮影の撮影時間として算出する。例えば、図１２のタイムチャートでは、撮影オーダの選択が「１１時２７分２５秒」であり、画像データの送信が「１１時３５分２５秒」であるため、画像データ送信時刻から撮影オーダ選択時刻を減算することにより、「８分」の撮影時間を算出することができる。
【００７４】
平均撮影時間算出部６５は、上述のように、コンソール１５から取得したログデータ２７から、撮影技師Ｔ１、Ｔ２によって撮影された複数件の放射線撮影の各撮影時間を算出する。また、算出した複数件の撮影時間を撮影技師Ｔ１、Ｔ２毎に、かつ撮影手技毎に加算し、各加算結果をそれぞれの撮影件数で除算して、撮影技師Ｔ１、Ｔ２毎に撮影手技毎の平均撮影時間を算出する。平均撮影時間算出部６５は、算出した平均撮影時間を平均撮影時間格納部２０に格納する。
【００７５】
撮影オーダ取得部６６は、一定時間毎（例えば数分毎）に、またはＲＩＳサーバ１３からの待ち時間の予測要求に応じて、ＲＩＳサーバ１３に対して撮影オーダ３０の配信要求を送信する。ＲＩＳサーバ１３は、撮影オーダ取得部６６からの配信要求に応じて、進行状況が撮影中、及び未撮影の撮影オーダを撮影オーダ取得部６６に送信する。なお、ＲＩＳサーバ１３は、新しい撮影オーダを受け付けた場合、コンソール１５から撮影完了信号を受信して撮影オーダの件数が減った場合、受付済みの撮影オーダの内容が変更された場合、撮影オーダがキャンセルされた場合、撮影技師が交代した場合に、待ち時間予測装置１６に対して待ち時間の予測を要求する。
【００７６】
待ち時間算出部６７は、撮影オーダ取得部６６で取得した撮影オーダ３０と、平均撮影時間格納部２０から読み出した平均撮影時間とに基づき、撮影オーダ３０毎に撮影開始までの待ち時間を算出する。具体的には、待ち時間算出部６７は、撮影オーダ３０の手技情報に基づき、撮影オーダ３０の撮影手技を特定する。また、待ち時間算出部６７は、コンソール１５からのログイン情報に基づいて、現在、撮影室で放射線撮影を行っている撮影技師の技師ＩＤを特定する。次に、待ち時間算出部６７は、特定した撮影オーダ３０の撮影手技と、技師ＩＤとに基づいて、平均撮影時間格納部２０から特定した技師ＩＤの特定した撮影手技の平均撮影時間を読み出し、読み出した平均撮影時間に基づいて、未撮影の撮影オーダ３０の待ち時間を算出する。
【００７７】
例えば、撮影オーダ取得部６６が、図４に示す受付番号１１０〜１１３の撮影オーダを取得し、撮影中の撮影技師が撮影技師Ｔ１である場合、受付番号１１０〜１１３の撮影オーダの平均撮影時間は、図５に示す平均撮影時間格納部２０に基づき、それぞれ「９分３５秒」、「１０分２６秒」、「７分１５秒」、「８分３０秒」となる。待ち時間算出部６７は、進行状況が「撮影中」の受付番号１１０の撮影オーダについては、待ち時間を算出せず、進行状況が「未撮影」の受付番号１１１〜１１３の撮影オーダについて待ち時間を算出する。例えば、受付番号１１１の撮影オーダの場合、撮影順序が受付番号１１０の撮影オーダの次であるため、待ち時間は「９分３５秒」となる。また、受付番号１１２、１１３の撮影オーダの待ち時間は、撮影順序が前の撮影オーダの平均撮影時間を順次加算することにより算出される。例えば、受付番号１１２の撮影オーダの待ち時間は、「９分３５秒＋１０分２６秒」により算出され、「２０分１秒」となる。また、受付番号１１３の撮影オーダの待ち時間は、「９分３５秒＋１０分２６秒＋７分１５秒」により算出され、「２７分１６秒」となる。
【００７８】
配信部６８は、算出した待ち時間を通信Ｉ／Ｆ１６Ｆによって待ち時間ディスプレイ１７及びＲＩＳサーバ１３に配信する。また、配信部６８は、待ち時間が算出された撮影オーダ毎に、患者Ｐが自身の携帯電話（携帯情報端末）２５を利用して最新の待ち時間を閲覧できるようにするため、待ち時間予測装置１６へのアクセス情報を表す二次元バーコードＢＣを作成し、ＲＩＳサーバ１３に送信する。さらに、図２において、患者Ｐが携帯電話２５のカメラで受付票ＲＴの二次元バーコードＢＣを撮影して、待ち時間予測装置１６にアクセスしてきた場合には、配信部６８は、携帯電話２５に対して最新の待ち時間を配信する。
【００７９】
以下、上記構成による作用について、まず、平均撮影時間の算出について説明する。図１において、撮影室のコンソール１５は、撮影技師Ｔ１、Ｔ２によって操作された内容と、コンソール１５に対して入出力された情報の種類とを、日付及び時刻とともにログデータ２７に格納する（図６参照）。例えば、撮影技師Ｔ１、Ｔ２がコンソール１５を操作してＲＩＳサーバ１３にログインした場合には、ログデータ２７には、操作内容として「ログイン」が記録される。また、図９に示すコンソール１５の操作画面４９で撮影オーダ３０が選択された場合には、ログデータ２７には、操作内容として「撮影オーダ選択」が記録され、備考には、撮影オーダ３０の受付番号及び手技情報が記録される。さらに、操作画面４９で送信ボタン５３ａが操作されて、画像表示領域５３に表示されている放射線画像の画像データがコンソール１５からＰＡＣＳサーバ１４に送信された場合には、ログデータ２７には、入出力データとして「画像データ送信」が記録される。
【００８０】
図１３に示すように、待ち時間予測装置１６のログデータ取得部６４は、一定期間毎（例えば１カ月毎）にコンソール１５に対してログデータ２７の配信要求を送信し、コンソール１５から配信要求に応じて送信された一定期間分（例えば１カ月分）のログデータ２７を受信する（Ｓ１０）。
【００８１】
待ち時間予測装置１６の平均撮影時間算出部６５は、コンソール１５から取得したログデータ２７に基づいて、撮影技師Ｔ１、Ｔ２によって撮影された複数件の放射線撮影の各撮影時間を算出する（Ｓ１１）。図１２に示すように、平均撮影時間算出部６５は、撮影技師による放射線撮影のための一連の操作内容のうち、撮影技師による放射線撮影開始の意思表示である撮影オーダの選択から、撮影済みの放射線画像の後処理であるＰＡＣＳサーバ１４への画像データの送信までの時間を、１件の放射線撮影の撮影時間として算出する。
【００８２】
待ち時間予測装置１６の平均撮影時間算出部６５は、ログデータ２７に基づいて算出した複数件の放射線撮影の各撮影時間を、撮影技師Ｔ１、Ｔ２毎に、かつ撮影手技毎に加算し、各加算結果をそれぞれの撮影件数で除算して、撮影技師Ｔ１、Ｔ２毎に撮影手技毎の平均撮影時間を算出する（Ｓ１２）。平均撮影時間算出部６５は、算出した平均撮影時間を平均撮影時間格納部２０に格納する（Ｓ１３）。
【００８３】
次に、待ち時間の予測について説明する。図１において、診療科の医師Ｄは、患者Ｐの診療の際に診療科端末１１を操作して、ＲＩＳサーバ１３に放射線撮影の撮影オーダ３０を送信する。ＲＩＳサーバ１３は、診療科端末１１から送信された撮影オーダ３０を受信し、受信した撮影オーダ３０に受付番号を付与して撮影オーダＤＢ（Data Base)２３に格納し、その進行状況を管理する。ＲＩＳサーバ１３は、受付番号を付与した撮影オーダ３０を撮影室のコンソール１５に送信する。撮影室では、放射線撮影システム３３により、撮影オーダ３０で依頼された放射線撮影が行われる。
【００８４】
ＲＩＳサーバ１３は、新しい撮影オーダ３０を受け付けた場合、コンソール１５から撮影完了信号を受信して撮影オーダ３０の件数が減った場合、受付済みの撮影オーダ３０の内容が変更された場合、撮影オーダ３０がキャンセルされた場合、撮影技師が交代した場合に、待ち時間予測装置１６に対して待ち時間の予測を要求する。待ち時間予測装置１６は、ＲＩＳサーバ１３の要求に応じて、または一定時間毎に撮影オーダ３０の待ち時間を予測する。
【００８５】
図１４に示すように、待ち時間予測装置１６の撮影オーダ取得部６６は、一定時間毎（例えば数分毎）に、またはＲＩＳサーバ１３からの待ち時間の予測要求に応じて、ＲＩＳサーバ１３に対して撮影オーダ３０の配信要求を送信し、ＲＩＳサーバ１３から配信要求に応じて送信された撮影オーダ３０を受信する（Ｓ２０）。ＲＩＳサーバ１３は、配信要求時に撮影オーダＤＢ２３で管理している複数件の撮影オーダ３０のうち、進行状況が撮影中、及び未撮影の撮影オーダ３０を待ち時間予測装置１６に配信する。
【００８６】
待ち時間算出部６７は、取得した撮影オーダ３０に対応する平均撮影時間を平均撮影時間格納部２０から読み出す（Ｓ２１）。具体的には、待ち時間算出部６７は、撮影オーダ３０の手技情報に基づいて依頼されている撮影手技を特定し、コンソール１５のログイン情報に基づいて、撮影中の撮影技師の技師ＩＤを特定する。次に、待ち時間算出部６７は、特定した技師ＩＤ及び撮影手技に基づいて、平均撮影時間格納部２０から対応する平均撮影時間を読み出す。
【００８７】
待ち時間算出部６７は、撮影オーダ取得部６６で取得した撮影オーダ３０と、平均撮影時間格納部２０から読み出した平均撮影時間とに基づき、進行状況が未撮影の撮影オーダ３０毎に、撮影開始までの待ち時間を算出する（Ｓ２２）。配信部６８は、算出した待ち時間を待ち時間ディスプレイ１７及びＲＩＳサーバ１３に配信する（Ｓ２３）。待合室に設置されている待ち時間ディスプレイ１７には、撮影オーダ３０毎に待ち時間が表示される。
【００８８】
また、配信部６８は、算出された待ち時間毎に、待ち時間予測装置１６へのアクセス情報を表す二次元バーコードＢＣを作成し、ＲＩＳサーバ１３に送信する。ＲＩＳサーバ１３は、待ち時間予測装置１６から送信された待ち時間及び二次元バーコードＢＣを、受付完了通知に含めて診療科端末１１に送信する。診療科端末１１は、ＲＩＳサーバ１３から送信された受付完了通知に基づいて受付票ＲＴを印刷し、患者Ｐに渡す。受付票ＲＴには、受付番号、受付時刻、撮影内容、待ち時間及び二次元バーコードＢＣが印刷される。
【００８９】
患者Ｐが携帯電話２５のカメラで二次元バーコードＢＣを撮影すると、携帯電話２５は、二次元バーコード読み取り機能によって二次元バーコードＢＣから待ち時間予測装置１６へのアクセス情報を読み出す。また、携帯電話２５は、ブラウザソフトを起動して待ち時間予測装置１６にアクセスし、最新の待ち時間を取得する。携帯電話２５のディスプレイには、待ち時間予測装置１６から取得した最新の待ち時間が表示される。
【００９０】
以上で説明したように、待ち時間予測装置１６の平均撮影時間算出部６５は、コンソール１５から取得したログデータ２７に基づき、撮影技師毎に撮影手技毎の平均撮影時間を算出する。したがって、撮影技師が撮影開始時刻及び撮影終了時刻を時計で測定し、測定結果をコンソール１５に入力するなどの手作業を行う必要がなくなる。また、手作業に伴う、撮影開始時刻及び撮影終了時刻の測定ミスや、コンソール１５への入力ミスなども発生しないので、撮影開始時刻及び撮影終了時刻を正確に測定することができるので、正確な平均撮影時間を算出することができる。
【００９１】
また、待ち時間予測装置１６の待ち時間算出部６７は、撮影オーダ３０の手技情報で指定された撮影手技と、撮影技師Ｔ１、Ｔ２の撮影手技毎に正確に算出された平均撮影時間とに基づいて待ち時間を算出するので、待ち時間の予測精度が向上する。また、予測精度が向上した待ち時間により、患者Ｐは待ち時間を有効に利用することできるので、患者Ｐの満足度が向上する。さらに、患者Ｐが待ち時間にしたがって行動することにより、撮影開始時に患者Ｐがいないなどの問題も生じないので、検査業務の効率も向上する。
【００９２】
上記実施形態では、待ち時間予測装置１６から待ち時間ディスプレイ１７などの待ち時間表示装置に対し、待ち時間及び二次元バーコードを配信するようにしたが、待ち時間と現在時刻とに基づいて撮影した、撮影開始予定時刻も一緒に配信してもよい。待ち時間だけを配信する場合に比べて予定時刻が分かりやすくなるため、患者Ｐの待ち時間の有効利用が図りやすくなる。
【００９３】
以下、本発明の第２〜第４実施形態について説明する。なお、第１実施形態と同じ構成については同符号を使用し、詳しい説明は省略する。
【００９４】
［第２実施形態］
医用画像の撮影では、撮影対象の患者Ｐによっては、平均撮影時間で撮影ができない場合がある。例えば、骨折等の怪我で四肢を伸ばせない、または逆に関節を曲げられない、あるいは寝たきりで立位姿勢をとれない等、患者Ｐが通常のポジショニングをとれない場合には、患者Ｐと放射線撮影システム３３とのポジショニングに、怪我などをしていない患者よりも時間がかかるため、平均撮影時間で撮影を終えるのは難しくなる。また、怪我や高齢などの要因により、歩行などの医療施設内での移動に時間がかかる場合にも、平均撮影時間以上に撮影時間がかかる場合がある。撮影オーダの待ち時間を予測する際に、このような、平均撮影時間で撮影ができない患者の撮影オーダが含まれている場合、待ち時間の予測精度が低下し、患者Ｐの満足度が低下する可能性がある。本実施形態は、平均撮影時間で撮影ができない患者の撮影オーダを含む待ち時間を精度よく予測するものである。
【００９５】
図１５において、本実施形態の待ち時間予測装置７１は、診療情報取得部７２、判断部７３及び補正部７４を備える。診療情報取得部７２は、撮影オーダ取得部６６がＲＩＳサーバ１３から待ち時間の予測要求を受けて、ＲＩＳサーバ１３から撮影オーダ３０を取得した場合に、取得した撮影オーダ３０の患者ＩＤに基づき、ＨＩＳサーバ１２に患者ＩＤに対応する患者Ｐの診療情報の配信を要求する。判断部７３は、診療情報取得部７２が取得した診療情報に基づき、撮影オーダ３０の患者Ｐが平均撮影時間で撮影できるか否かを判断する。なお、平均撮影時間で撮影できるか否かの判断は、平均撮影時間ちょうどで撮影ができる否かを判断するものではなく、待ち時間の予測値に大幅なずれが生じない程度に、平均撮影時間に近い時間で撮影ができるか否かを判断する。補正部７４は、判断部７３で患者が平均撮影時間で撮影ができないと判断された場合に、待ち時間が長くなるように補正する。
【００９６】
図１６において、患者情報７６は、ＨＩＳサーバ１２において電子カルテに登録されている情報である。患者情報７６は、患者ＩＤ、患者氏名、性別、生年月日といった患者の基本的な情報を表す項目と、患者が平均撮影時間で放射線撮影が可能か否かを判断するための診療情報７６ａの項目とを有する。診療情報７６ａの項目は、患者Ｐの年齢を表す生年月日、放射線撮影で通常のポジショニングがとれる状態か否かを示すポジショニング可否、歩行が困難であるか否かを示す歩行可否である。
【００９７】
ポジショニング可否は、通常のポジショニングがとれる状態である場合はＯＫ、とれない状態である場合はＮＧと記される。歩行可否は、自力歩行ができる場合はＯＫ、自力歩行できるが杖を使用している場合、手摺りなどの介助を必要とする場合、車椅子を使用している場合はＮＯと記される。年齢は、例えば、後期高齢者である７５歳以上である場合にはＯＫ、そうでない場合はＮＧと記される。
【００９８】
通常のポジショニングとは、患者に対して普段行っているポジショニングである。通常のポジショニングがとれない状態とは、骨折等の怪我で四肢を伸ばせない、または逆に関節を曲げられない、あるいは寝たきりで立位姿勢をとれない等、患者に特殊な事情があり、通常のポジショニングから逸脱したポジショニングで放射線撮影を行わざるを得ない状態である。通常のポジショニングがとれない状態の患者の放射線撮影においては、患者のポジショニングに高い技術レベルが要求される。
【００９９】
判断部７３は、診療情報７６ａに基づき、患者Ｐが平均撮影時間で放射線撮影が可能か否かを判断する。より具体的には、判断部７３は、診療情報７６ａのポジショニング可否の項目がＮＧである場合、歩行可否の項目がＮＧである場合、患者Ｐの年齢が７５歳以上である場合に、平均撮影時間での放射線撮影が不可と判断する。
【０１００】
補正部７４は、判断部７３で平均撮影時間での放射線撮影が不可と判断された場合には、その判断理由に応じて、待ち時間算出部６７で算出された待ち時間が長くなるように補正する。補正部７４は、平均撮影時間で撮影できない理由に応じて設定された複数の補正係数Ｋが格納された補正係数格納部７４ａを備える。例えば、ポジショニング可否のほうが歩行可否よりも撮影時間が長くなる傾向がある場合には、補正係数格納部７４ａには、ポジショニングＮＧの場合の補正係数Ｋとして「１．４」、歩行ＮＧの場合の補正係数Ｋとして「１．２」がそれぞれ格納され。補正部７４は、判断部７３で平均撮影時間での放射線撮影が不可と判断された理由に応じて、補正係数格納部７４ａから補正係数Ｋを読み出し、待ち時間に乗算して、待ち時間が長くなるように補正する。
【０１０１】
例えば、図４に示す受付番号１１０〜１１３の撮影オーダにおいて、受付番号１１０〜１１３の撮影オーダの患者Ｐが全て平均撮影時間での撮影がＯＫである場合、図５に示す平均撮影時間格納部２０に基づいて算出される待ち時間は、それぞれ、「９分３５秒」、「２０分１秒」、「２７分１６秒」となる。これに対し、例えば、受付番号１１０の撮影オーダの患者Ｐが歩行ＮＧである場合、補正部７４は、受付番号１１０の撮影オーダの平均撮影時間に対し、補正係数Ｋ（例えば１．２）を乗算する。これにより、受付番号１１１〜１１３の撮影オーダの待ち時間は、それぞれ「１１分３０秒」、「２１分５６秒」、「２９分１２秒」と長くなる。
【０１０２】
図１７に示すように、本実施形態の待ち時間予測装置７１は、撮影オーダ取得（Ｓ２０）、平均撮影時間読み出し（Ｓ２１）、待ち時間算出（Ｓ２２）の後、ＨＩＳサーバ１２からの診療情報７６ａの取得（Ｓ３０）、診療情報７６ａに基づく平均撮影時間での撮影可否の判断（Ｓ３１）、判断理由に基づく待ち時間の補正（Ｓ３２）を行い、未補正あるいは補正済みの待ち時間を待ち時間ディスプレイ１７などに配信する（Ｓ２３）。
【０１０３】
以上で説明したように、本実施形態によれば、撮影オーダで撮影が依頼されている患者Ｐが平均撮影時間で撮影できるか否かを診療情報７６ａに基づいて判断し、その判断理由に応じて待ち時間を補正するので、より正確な待ち時間を予測することができる。
【０１０４】
上記第２実施形態では、患者Ｐが平均撮影時間で撮影できない理由に応じて補正係数Ｋを変更しているが、平均撮影時間で撮影できない理由によって撮影時間が長くなる割合がそれほど変わらない場合には、一律に同じ補正係数Ｋを用いて待ち時間を補正してもよい。これによれば、判断部７３で判断理由の判定をする必要がなくなり、補正部７４による理由に応じた補正も省略することができるので、待ち時間予測装置７１の構成及び制御を簡略化することができる。
【０１０５】
また、平均撮影時間で撮影できない理由毎に平均撮影時間を算出しておき、この理由毎の平均撮影時間に基づいて待ち時間を算出してもよい。例えば、ポジショニング可否がＮＧの患者の平均撮影時間と、歩行可否がＮＧの患者の平均撮影時間を算出しておけば、待ち時間を補正する場合よりも正確な待ち時間を予測することができる。
【０１０６】
上記各実施形態では、待ち時間予測装置１６を単独で設けたが、ＲＩＳサーバ１３またはＨＩＳサーバ１２に対し、待ち時間予測装置１６の機能を設けてもよい。また、上記各実施形態では、放射線撮影装置を例に説明したが、ＣＴ（Computed Tomography）装置や、ＭＲＩ（magnetic resonance imaging）装置、内視鏡装置、超音波撮影装置など、コンソールからログデータが取得可能な医用画像撮影装置であれば、本発明は適用可能である。また、医用画像撮影装置以外でもコンソールからログデータを取得し、取得したログデータから平均作業時間が算出可能であれば、血液検査装置などの各種臨床検査装置にも適用可能である。
【０１０７】
上記各実施形態では、放射線源３６の照射タイミングと放射線画像検出装置４０の検出動作とを同期させるために、線源制御装置３７から撮影制御装置４２に同期信号を送信する例について説明したが、放射線画像検出装置４０が内蔵するセンサにより放射線の照射を検出し、放射線画像の検出動作を開始するタイプである場合には、線源制御装置３７から撮影制御装置４２に対する同期信号の送信を省略することができる。また、線源制御装置３７及び撮影制御装置４２に対し、撮影条件として放射線の照射時間を設定するようにしたが、放射線の照射線量を検出し、積算線量が予め設定した値に達したときに放射線の照射を停止するタイプの放射線撮影システムであれば、放射線の照射時間の設定を省略してもよい。さらに、放射線撮影装置３５として、可搬型の放射線画像検出装置４０と撮影制御装置４２とを備える例について説明したが、可搬型の放射線画像検出装置に撮影制御装置の機能を組み込み、撮影制御装置を省略した放射線撮影装置を用いてもよい。
【符号の説明】
【０１０８】
１０  医療情報ネットワークシステム
１１  診療科端末
１２  ＨＩＳサーバ
１３  ＲＩＳサーバ
１５  コンソール
１６、７１  待ち時間予測装置
１６Ｊ  待ち時間予測プログラム
１７  待ち時間ディスプレイ
２０  平均撮影時間格納部
２３  撮影オーダＤＢ
２５  携帯電話
２７  ログデータ
３０  撮影オーダ
３５  放射線撮影装置
６４  ログデータ取得部
６５  平均撮影時間算出部
６６  撮影オーダ取得部
６７  待ち時間算出部
６８  配信部
７２  診療情報取得
７３  判断部
７４  補正部
７６ａ  診療情報
【図１】
2015191556.tif 000003
【図２】
2015191556.tif 000004
【図３】
2015191556.tif 000005
【図４】
2015191556.tif 000006
【図５】
2015191556.tif 000007
【図６】
2015191556.tif 000008
【図７】
2015191556.tif 000009
【図８】
2015191556.tif 000010
【図９】
2015191556.tif 000011
【図１０】
2015191556.tif 000012
【図１１】
2015191556.tif 000013
【図１２】
2015191556.tif 000014
【図１３】
2015191556.tif 000015
【図１４】
2015191556.tif 000016
【図１５】
2015191556.tif 000017
【図１６】
2015191556.tif 000018
【図１７】
2015191556.tif 000019